(57)【要約】【課題】  使用者が鞄を背負ったときに、鞄が背中に程よく密着すると共に、背中に当たる感触が良く、クッション材が配設されていない部分が背中に接触することも少なく痛みを感ずることがなく、背負った鞄が軽く感じられるような背当てを提供する。【解決手段】  使用者が鞄を背負ったときに、背中Ｂの左右の肩甲骨Ｓから、肩甲骨Ｓ下方へかけての左右それぞれの稜線Ｌが、その背負い鞄の背当て１に当接する部分に、クッション材６による隆起部Ｐを設けたものとしている。【選択図】    図２
2006296883.tif 000002
【特許請求の範囲】
【請求項１】
使用者が鞄を背負ったときに、背中（Ｂ）の左右の肩甲骨（Ｓ）から、肩甲骨（Ｓ）下方へかけての左右それぞれの稜線（Ｌ）が、その背負い鞄の背当て（１）に当接する部分に、クッション材（６）による隆起部（Ｐ）を設けたことを特徴とする背負い鞄の背当て。
【請求項２】
前記背中（Ｂ）の稜線（Ｌ）が隆起部（Ｐ）に当接する部分を、使用者の身長別に測定し、その測定したすべての部分にクッション材（６）を配設したことを特徴とする請求項１記載の背負い鞄の背当て。
【請求項３】
前記背負い鞄をランドセル（Ｒ）とし、前記背中（Ｂ）の稜線（Ｌ）が隆起部（Ｐ）に当接する部分を、身長１２０ｃｍ、１３０ｃｍ、１４０ｃｍ、１５０ｃｍの使用者で測定したことを特徴とする請求項２記載の背負い鞄の背当て。
【請求項４】
前記背当て（１）の隆起部（Ｐ）の高さを、背当て（１）の肩掛けベルト（２）の取付具（３）の下端の一帯部（ａ）で約１ｃｍ、背当て（１）の肩掛けベルト（２）の取付具（３）の下端から５ｃｍ下の一帯部（ｂ）で約２ｃｍ、背当て（１）の肩掛けベルト（２）の取付具（３）の下端から１０ｃｍ下の一帯部（ｃ）で約３ｃｍ、背当て（１）の肩掛けベルト（２）の取付具（３）の下端から２０ｃｍ下の一帯部（ｄ）で約２ｃｍとしたことを特徴とする請求項３記載の背負い鞄の背当て。
【発明の詳細な説明】
【技術分野】
【０００１】
この発明は、ランドセル、リュックサックなどの背負い鞄における背当てに関するものである。
【背景技術】
【０００２】
従来から、ランドセル、リュックサックなどの背負い鞄において、スポンジ等の発泡体よりなるクッション材を配設し、使用者の背中への当たりを柔らかくするようにした背当てが存在する。
【０００３】
この種の従来の背負い鞄の背当ては、平面状としたり、なだらかな曲面形状としたクッション材を配設することにより、全体的に隆起させて、使用者の背中に接触するようにしている。
【０００４】
また、従来の背負い鞄の背当ては、図１３、１４に示したように、背板１１の両側部から下部にかけて略Ｕ字状のクッション材１２を配設することにより、略Ｕ字状に隆起させて、使用者の背中に接触するようにしている（特許文献１）。
【特許文献１】特開平６−２６９３１０公報（図１、３）
【発明の開示】
【発明が解決しようとする課題】
【０００５】
しかしながら、上記従来の背負い鞄の背当ては、使用者の背中に接触するようにしているものの、全体的に隆起させたり、略Ｕ字状に隆起させているだけであり、特に使用者の背中との接触位置を工夫していないので、その隆起部が使用者の背中の適当な位置に、適当な荷重をかけて当たるため、感触が良くなかったり、クッション材が配設されていない部分が背中に接触して痛みを感ずることがあるという問題点を有していた。
【０００６】
また、上記従来の背負い鞄の背当ては、前記したように隆起部が使用者の背中の適当な位置に当たるため、鞄を背負ったときに垂直な状態となるとは限らず、背中と反対方向に傾いてしまうことが多く、鞄の重心が使用者の背中から離れ、鞄が重く感じるという問題点を有していた。
【０００７】
そこで、この発明は、上記従来の問題点を解消するものであり、鞄を背負ったときに垂直な状態となるのに必要な背当ての隆起部の位置や高さについての検討を身長別に行うことにより、使用者が鞄を背負ったときに、鞄が背中に程よく密着すると共に、背中に当たる感触が良く、クッション材が配設されていない部分が背中に接触することも少なく痛みを感ずることがなく、背負った鞄が軽く感じられるような背当てを提供することを目的としてなされたものである。
【課題を解決するための手段】
【０００８】
そのため、この発明の背負い鞄の背当ては、使用者が鞄を背負ったときに、背中Ｂの左右の肩甲骨Ｓから、肩甲骨Ｓ下方へかけての左右それぞれの稜線Ｌが、その背負い鞄の背当て１に当接する部分に、クッション材６による隆起部Ｐを設けたものとしている。
【０００９】
そして、この発明の背負い鞄の背当ては、前記背中Ｂの稜線Ｌが隆起部Ｐに当接する部分を、使用者の身長別に測定し、その測定したすべての部分にクッション材６を配設したものとしている。
【００１０】
さらに、この発明の背負い鞄の背当ては、前記背負い鞄をランドセルＲとし、前記背中Ｂの稜線Ｌが隆起部Ｐに当接する部分を、身長１２０ｃｍ、１３０ｃｍ、１４０ｃｍ、１５０ｃｍの使用者で測定したものとしている。
【００１１】
また、この発明の背負い鞄の背当ては、前記背当て１の隆起部Ｐの高さを、背当て１の肩掛けベルト２の取付具３の下端の一帯部ａで約１ｃｍ、背当て１の肩掛けベルト２の取付具３の下端から５ｃｍ下の一帯部ｂで約２ｃｍ、背当て１の肩掛けベルト２の取付具３の下端から１０ｃｍ下の一帯部ｃで約３ｃｍ、背当て１の肩掛けベルト２の取付具３の下端から２０ｃｍ下の一帯部ｄで約２ｃｍとしている。
【発明の効果】
【００１２】
この発明の背負い鞄の背当ては、以上に述べたように構成されているので、使用者が鞄を背負ったときに、鞄が背中に程よく密着すると共に、背中に当たる感触が良く、クッション材が配設されていない部分が背中に接触することも少なく痛みを感ずることがなく、背負った鞄が軽く感じられるようになる。
【発明を実施するための最良の形態】
【００１３】
以下、この発明の背負い鞄の背当てを実施するための最良の形態を、図面に基づいて詳細に説明する。
【００１４】
この発明の背負い鞄の背当ては、図１に示したように、例えばランドセルＲの背当て１として実施される。このランドセルＲの背当て１は、一対の肩掛けベルト２の取付具３が背板４の上部に、その取付部３ａをランドセルＲから上方に向けた状態で取り付けられている。したがって、前記取付具３の取付部３ａに取り付けられる肩掛けベルト２は、ランドセルＲから上方に向くようになり、使用者が背負ったときに、ランドセルＲが常に斜め上方に引っ張られた状態となり、肩掛けベルト２が使用者の肩に沿うように曲がるため、背当て１が使用者の背中に程よく密着するものとなる。
【００１５】
前記背当て１は、図２に示したように、背板４、外装生地５、およびクッション材６から構成されている。背板４は、プラスチック、木材など適宜の剛性を有し、好ましくは弾力性を有する素材からなる四角形状の板としている。外装生地５は、四角形状の合成樹脂材などからなる人工皮革の生地の裏面に不織布を貼り合わせたものとしている。クッション材６としては、スポンジや綿など背当て１を適宜の形状に隆起させるのに好ましい素材であれば限定されないが、図示したものはスポンジとしている。このスポンジは、一体成形したものであっても、細切れにしたものを寄せ集めたものとしたり、他の素材を間に挟み込んだものなどとすることもできる。
【００１６】
そして、この発明の背負い鞄の背当ては、使用者が鞄を背負ったときに、背中Ｂの左右の肩甲骨Ｓから、肩甲骨Ｓ下方へかけての左右それぞれの稜線Ｌが、その背負い鞄の背当て１に当接する部分に、クッション材６による隆起部Ｐを設けたものとしている。
【００１７】
前記背中Ｂの稜線Ｌが、クッション材６による隆起部Ｐに当接するようにするには、背当て１における隆起部Ｐの位置および高さを、次に示すような測定結果によって求めたものとした。
【００１８】
先ず、前記背中Ｂの稜線Ｌが隆起部Ｐに当接する部分を、使用者の身長別に測定し、その測定したすべての部分にクッション材６を配設したものとしている。前記背負い鞄をランドセルＲとした場合には、前記背中Ｂの稜線Ｌが隆起部Ｐに当接する部分を、小学校の１年生から６年生までの成長過程における身長１２０ｃｍ、１３０ｃｍ、１４０ｃｍ、１５０ｃｍの使用者で測定したものとしている。
【００１９】
すなわち、背当て１における隆起部Ｐの位置は、図３〜６に示したように、身長１２０ｃｍ、１３０ｃｍ、１４０ｃｍ、１５０ｃｍの使用者の背中Ｂに、それぞれモアレ模様Ｍを描き、そのモアレ模様Ｍより背中Ｂの左右の肩甲骨Ｓから、肩甲骨Ｓ下方へかけての左右それぞれの稜線Ｌを求める。そして、これらの稜線Ｌを、図７に示したように、背板４に描き、それらの稜線Ｌ上に位置するようにクッション材６を配設して背当て１が隆起するようにしている。図示した背当て１は、前記稜線Ｌ上から背板４の両側端および下端にかけてクッション材６を配設したものとし、左右の稜線Ｌに挟まれる中央部分にはクッション材６を配設しないものとした。このようにすると、前記稜線Ｌ上にのみクッション材６を配設するより、背中Ｂとの接触面積が大きくなって、鞄を背負ったときの安定性がより増すことになる。
【００２０】
なお、図７中の細線は身長１２０ｃｍの使用者の稜線Ｌを示し、同図中の破線は身長１３０ｃｍの使用者の稜線Ｌを示し、同図中の一点鎖線は身長１４０ｃｍの使用者の稜線Ｌを示し、同図中の二点鎖線は身長１５０ｃｍの使用者の稜線Ｌを示す。
【００２１】
次に、前記背当て１における隆起部Ｐの高さは、図８〜１１に示したように、身長１２０ｃｍ、１３０ｃｍ、１４０ｃｍ、１５０ｃｍの使用者の背中Ｂに、背当て１の背板４をそれぞれ垂直に当てた時の、背中Ｂの稜線Ｓからその背当て１の背板４の各部分までのそれぞれの距離Ｄ1 〜Ｄ4 を測定することにより求める。この距離Ｄ1 〜Ｄ4 は、図１２に示したように、背当て１の肩掛けベルト２の取付具３の下端の一帯部ａ、背当て１の肩掛けベルト２の取付具３の下端から５ｃｍ下の一帯部ｂ、背当て１の肩掛けベルト２の取付具３の下端から１０ｃｍ下の一帯部ｃ、背当て１の肩掛けベルト２の取付具３の下端から２０ｃｍ下の一帯部で測定した。
【００２２】
これらの距離Ｄ1 〜Ｄ4 を測定した結果、身長１２０ｃｍでは、一帯部ａで２．１ｃｍ、一帯部ｂで３．２ｃｍ、一帯部ｃで４．２ｃｍ、一帯部ｄで１．０ｃｍとなった。身長１３０ｃｍでは、一帯部ａで０．７ｃｍ、一帯部ｂで１．７ｃｍ、一帯部ｃで２．９ｃｍ、一帯部ｄで１．３ｃｍとなった。身長１４０ｃｍでは、一帯部ａで０．４ｃｍ、一帯部ｂで１．４ｃｍ、一帯部ｃで２．５ｃｍ、一帯部ｄで３．２ｃｍとなった。身長１５０ｃｍでは、一帯部ａで０．４ｃｍ、一帯部ｂで１．４ｃｍ、一帯部ｃで２．５ｃｍ、一帯部ｄで２．７ｃｍとなった。
【００２３】
そこで、これらの平均値を求めると、一帯部ａで０．９０ｃｍ、一帯部ｂで１．９３ｃｍ、一帯部ｃで３．０３ｃｍ、一帯部ｄで２．０５ｃｍとなったので、隆起部Ｐの高さを一帯部ａで約１ｃｍ、一帯部ｂで約２ｃｍ、一帯部ｃで約３ｃｍ、一帯部ｄで約２ｃｍにすれば、鞄を背負ったときにそれぞれの身長で最小限ランドセルＲが傾くことになり、すなわち垂直に近づくような厚みとなる。
【００２４】
したがって、この発明の背当てを用いた背負い鞄は、鞄を背負ったときに垂直に近い状態となるので、背当て１が背中Ｂに程よく密着すると共に、背中Ｂに当たる感触が良く、クッション材６が配設されていない部分が背中Ｂに接触することも少なく痛みを感ずることがなく、背負った鞄が軽く感じられるようになる。
【図面の簡単な説明】
【００２５】
【図１】この発明の背負い鞄の背当てを用いたランドセルの斜視図である。
【図２】この発明の背負い鞄の背当ての一部断面斜視図である。
【図３】この発明の背当てを用いたランドセルを背負う身長１２０ｃｍの使用者の背中正面のモアレ模様を描いた説明図である。
【図４】この発明の背当てを用いたランドセル背負う身長１３０ｃｍの使用者の背中正面のモアレ模様を描いた説明図である。
【図５】この発明の背当てを用いたランドセル背負う身長１４０ｃｍの使用者の背中正面のモアレ模様を描いた説明図である。
【図６】この発明の背当てを用いたランドセル背負う身長１５０ｃｍの使用者の背中正面のモアレ模様を描いた説明図である。
【図７】この発明の背当ての背板に身長１２０〜１５０ｃｍの使用者の背中正面から見た稜線を描いた説明図である。
【図８】この発明の背当ての背板と、身長１２０ｃｍの使用者の背中側面から見た稜線との位置関係を示す説明図である。
【図９】この発明の背当ての背板と、身長１３０ｃｍの使用者の背中側面から見た稜線との位置関係を示す説明図である。
【図１０】この発明の背当ての背板と、身長１４０ｃｍの使用者の背中側面から見た稜線との位置関係を示す説明図である。
【図１１】この発明の背当ての背板と、身長１５０ｃｍの使用者の背中側面から見た稜線との位置関係を示す説明図である。
【図１２】この発明の背当ての背板を使用者の背中に垂直に当てた時の、背中の稜線から背板までの距離を測定する背当ての各部分を示す説明図である。
【図１３】従来の背負い鞄の背当てを用いたランドセルの一部を示す斜視図である。
【図１４】従来の背負い鞄の背当ての斜視図である。
【符号の説明】
【００２６】
１  背当て
２  肩掛けベルト
３  取付具
６  クッション材
Ｂ  背中
Ｌ  稜線
Ｐ  隆起部
Ｒ  ランドセル
Ｓ  肩甲骨
ａ  一帯部
ｂ  一帯部
ｃ  一帯部
ｄ  一帯部
【図１】
2006296883.tif 000003
【図２】
2006296883.tif 000004
【図３】
2006296883.tif 000005
【図４】
2006296883.tif 000006
【図５】
2006296883.tif 000007
【図６】
2006296883.tif 000008
【図７】
2006296883.tif 000009
【図８】
2006296883.tif 000010
【図９】
2006296883.tif 000011
【図１０】
2006296883.tif 000012
【図１１】
2006296883.tif 000013
【図１２】
2006296883.tif 000014
【図１３】
2006296883.tif 000015
【図１４】
2006296883.tif 000016